(57)【特許請求の範囲】
【請求項１】
少なくとも配達票と貼付票を平面上に並べた部分を有する伝票用紙と、それの配達票と貼付票を含む部分に対応するサイズのタック紙とを接着剤にて貼り合わせた配送伝票において、伝票用紙には配達票の一辺に突き出る形状のインデックス部分を区画するようにして接着剤の深さまでのカットを形成し、伝票用紙のインデックス部分を突き出させる一辺に対応してタック紙には剥離紙の上までのカットを形成し、伝票用紙における配達票の裏側にはインデックス部分を除いた場所に剥離剤を施し、タック紙にはインデックス部分に対応する部分を除いた場所に接着剤を塗布することにより、貼付票は剥がれ落ちないように強接着となっており、配達票は必要に応じてタック紙から剥離可能であり、配達票の一辺に剥がすキッカケとなる未接着状態のインデックス部分を設けたことを特徴とする配送伝票。
【発明の詳細な説明】
【０００１】
【発明の属する技術分野】
本発明は、物流業界、流通業界、百貨店業界等において荷物の配送業務を行う場合に使用される配送伝票に関するものである。
【０００２】
【従来の技術】
近年、このような多くの荷物を配送する業者が取り扱う配送伝票として、複数枚の帳票を重ね合わせた同時複写タイプのものに代えて、配送伝票を構成している帳票の枚数を削減し、配送情報の記載が一平面上への１回の印字出力で済むものが用いられている。
【０００３】
このような１枚ものの配送伝票としては、例えば、貼付票と配達票とを並べた伝票用紙をラベル基材の上に貼り合わせたものがある。この配送伝票では、貼付票と配達票にそれぞれ配送情報の出力を行った後、ラベル基材の裏面側の剥離紙を剥ぎ取って荷物に貼付し、その荷物の配送過程においては、配送作業者が配達票をラベル基材から剥がし、荷物に残った貼付票の情報によりその荷物を管理するとともに、配送作業者の手元にある配達票の情報に基づいて配送手順などの段取りを整え、また荷物の受領確認もこの配達票に受けるようにしている。そして、このような配送伝票において、剥がす必要のある配達票の一隅に非接着となるベタ印刷やコーナーカットを設けることで、剥がすキッカケとしての指掛かりを形成したものが知られている。
【０００４】
【発明が解決しようとする課題】
従来の技術で述べた配送伝票は、剥がす必要のある配達票を剥がしやすくするために、前述した如く、配達票の一隅に非接着となるベタ印刷やコーナーカットを設けてはいるが、実際に配送伝票を荷物に貼付した状態で配達票を剥がすのは、このような小さなキッカケでは剥がしづらいという問題点がある。
【０００５】
本発明は、上記のような問題点に鑑みてなされたものであり、その目的とするところは、配送伝票を荷物に貼付した状態でその配達票を剥がしやすくした配送伝票を提供することにある。
【０００６】
【課題を解決するための手段】
上記の目的を達成するため、本発明の配送伝票は、少なくとも配達票と貼付票を平面上に並べた部分を有する伝票用紙と、それの配達票と貼付票を含む部分に対応するサイズのタック紙とを接着剤にて貼り合わせた配送伝票において、伝票用紙には配達票の一辺に突き出る形状のインデックス部分を区画するようにして接着剤の深さまでのカットを形成し、伝票用紙のインデックス部分を突き出させる一辺に対応してタック紙には剥離紙の上までのカットを形成し、伝票用紙における配達票の裏側にはインデックス部分を除いた場所に剥離剤を施し、タック紙にはインデックス部分に対応する部分を除いた場所に接着剤を塗布することにより、貼付票は剥がれ落ちないように強接着となっており、配達票は必要に応じてタック紙から剥離可能であり、配達票の一辺に剥がすキッカケとなる未接着状態のインデックス部分を設けたことを特徴とする。
【０００７】
【発明の実施の形態】
以下、実施例を挙げて本発明の実施の形態を説明する。
【０００８】
図１は本発明に係る配送伝票の一例を示す平面図、図２は図１の配送伝票を構成する伝票用紙とタック紙をそれぞれ示す平面図、図３は図１の配送伝票を横方向の断面で示す概略構成図である。
【０００９】
図１に示す配送伝票Ａは、図２及び図３に示されるように、配達票１１と貼付票１２を横に並べた伝票用紙１０とこれと同じサイズのタック紙２０とを接着剤Ｆにより貼り合わせた構成をしている。このタック紙２０は、図３に示されるように、基材用紙２１の裏側に粘着剤２２を塗布し、その粘着剤２２に剥離紙２３を貼り合わせたものである。
【００１０】
配送伝票Ａには、左側の配達票１１と右側の貼付票１２を分離するようにして接着剤Ｆまでのカットａが形成されている。また、配送伝票Ａの右辺にはマージナルホール１３が形成され、その領域を区画するミシン目αが剥離紙２３の上まで形成されており、配送伝票Ａの左辺にはマージナルホール１３が形成され、配達票１１の左辺に突き出る形状のインデックス部分１１ａを区画するようにして接着剤Ｆの深さまでのカットａが形成されている。また、伝票用紙１０のインデックス部分１１ａのカットａの位置に対応してタック紙２０には剥離紙２３の上までのカットｂが形成されている。
【００１１】
また、伝票用紙１０における配達票１１の裏側には、図２（Ａ）の斜線で示す如くインデックス部分１１ａを除いた場所に剥離剤１４が施されており、タック紙２０には図２（Ｂ）の点々で示す如く左右のマージナルホール１３の領域とインデックス部分１１ａに対応する部分とを除いた場所に接着剤Ｆが塗布されている。したがって、配達票１１は必要に応じてタック紙２０から剥離可能であり、配達票１１の左辺にあるインデックス部分１１ａはタック紙２０と未接着状態になっている。
【００１２】
このように、剥がす必要のある配達票１１の裏面に剥離剤１４を施すことによって、タック紙２０と貼り合わせた際の接着強度を調整し、配達票１１を剥がしやすくしている。また、配達票１１の一部に剥がすキッカケとなるインデックス部分１１ａを設けるために入れた伝票用紙１０のみのカットａと、伝票用紙１０のカット位置に対応してタック紙２０に入れたインデックス部分１１ａを除いたカットｂによって、伝票用紙１０とタック紙２０とを接着剤Ｆにて貼り合わせた後に、配送伝票Ａから剥離紙２３を綺麗に剥がして荷物に貼付することができる。また、伝票用紙１０とタック紙２０とを接着剤Ｆにて貼り合わせる際に、インデックス部分１１ａの接着剤を除くことによって、その部分が浮いた状態になり、インデックス部分１１ａをキッカケとして配達票１１を容易に剥がすことができる。
【００１３】
上記構成の配送伝票Ａは、連続帳票の形態でノンインパクトプリンタにより配達票１１と貼付票１２に配送情報を印字した後、剥離紙２３を剥がして荷物に貼り付けて使用する。荷物に貼付した後、運送会社等のドライバーがインデックス部分１１ａをキッカケとして配達票１１を剥がし、配送先にて受領印をもらった後、持ち帰って保管する。
【００１４】
図４は本発明に係る配送伝票の別の例を示す平面図、図５は図４の配送伝票を構成する伝票用紙とタック紙をそれぞれ示す平面図、図６は図４の配送伝票を横方向の断面で示す概略構成図である。
【００１５】
図４に示す配送帳票Ｂは本来の配送伝票に他の伝票を一体化した仕様のもので、配達票１１と貼付票１２を縦に並べ、それらの右側にピッキングリスト１５と商品明細書１６を設けた伝票用紙１０が用いられている。そして、その伝票用紙１０とそれの配達票１１と貼付票１２を含む左半分に対応するサイズのタック紙２０とを接着剤Ｆにより貼り合わせた構成をしている。したがって、左辺のマージナルホール１３は伝票用紙１０とタック紙２０の両方を貫通しているが、右辺のマージナルホール１３は伝票用紙１０のみを貫通している。
【００１６】
配送伝票Ｂには、ピッキングリスト１５と商品明細書１６をそれぞれ切取り可能とし、また右辺のマージナルホール１３の領域を区画する部分を区画するミシン目βが形成されている。また、配達票１１と貼付票１２を分離するようにして接着剤Ｆまでのカットａが形成されており、配送伝票Ｂの左辺にはマージナルホール１３が形成され、配達票１１の左辺に突き出る形状のインデックス部分１１ａを区画するようにして接着剤Ｆの深さまでのカットａが形成されている。また、伝票用紙１０のインデックス部分１１ａのカットａの位置に対応してタック紙２０には剥離紙２３の上までのカットｂが形成されている。
【００１７】
また、伝票用紙１０における配達票１１の裏側には、図５（Ａ）の斜線で示す如くインデックス部分１１ａを除いた場所に剥離剤１４が施されており、タック紙２０には図５（Ｂ）の点々で示す如く配達票１１と貼付票１２においてマージナルホール１３の領域とインデックス部分１１ａに対応する部分とを除いた場所に接着剤Ｆが塗布されている。したがって、配達票１１は必要に応じてタック紙２０から剥離可能であり、配達票１１の左辺にあるインデックス部分１１ａはタック紙２０と未接着状態になっている。
【００１８】
上記構成の配送伝票Ｂは、連続帳票の形態でノンインパクトプリンタにより配達票１１と貼付票１２に配送情報を印字した後、「配達票１１＋貼付票１２」の部分と「ピッキングリスト１５＋商品明細書１６」の部分とをミシン目βで切り離し、「ピッキングリスト１５＋商品明細書１６」の方は商品と一緒に荷物の中に入れ、「配達票１１＋貼付票１２」の方は剥離紙２３を剥がして荷物に貼り付ける。荷物に貼付した後、運送会社等のドライバーがインデックス部分１１ａをキッカケとして配達票１１を剥がし、配送先にて受領印をもらった後、持ち帰って保管する。
【００１９】
以上、２つの例を挙げて本発明を実施の形態に基づいて説明したが、本発明による配送伝票は、上記実施の形態に何ら限定されるものでなく、本発明の趣旨を逸脱しない範囲において種々の変更が可能であることは当然のことである。
【００２０】
なお、本発明では伝票用紙において剥がす方を配達票と呼び、剥がさない方を貼付票と呼んでいるが、これらは別の名称で呼んでいる場合もあり、この名称は本発明を限定するものではない。また、配送伝票は、配達票と貼付票の組合せが代表的であるが、２つ目の例で上げたような適宜必要に応じて他のものを組み合わせたタイプでもよい。
【００２１】
【発明の効果】
本発明の配送伝票は、少なくとも配達票と貼付票を平面上に並べた部分を有する伝票用紙と、それの配達票と貼付票を含む部分に対応するサイズのタック紙とを接着剤にて貼り合わせた配送伝票において、伝票用紙には配達票の一辺に突き出る形状のインデックス部分を区画するようにして接着剤の深さまでのカットを形成し、伝票用紙のインデックス部分を突き出させる一辺に対応してタック紙には剥離紙の上までのカットを形成し、伝票用紙における配達票の裏側にはインデックス部分を除いた場所に剥離剤を施し、タック紙にはインデックス部分に対応する部分を除いた場所に接着剤を塗布することにより、貼付票は剥がれ落ちないように強接着となっており、配達票は必要に応じてタック紙から剥離可能であり、配達票の一辺に剥がすキッカケとなる未接着状態のインデックス部分を設けたことを特徴としているので、配送伝票を荷物に貼付した状態において、配達票のインデックス部分を摘んでその配達票を容易に剥がすことができる。
【図面の簡単な説明】
【図１】  本発明に係る配送伝票の一例を示す平面図である。
【図２】  図１の配送伝票を構成する伝票用紙とタック紙をそれぞれ示す平面図である。
【図３】  図１の配送伝票を横方向の断面で示す概略構成図である。
【図４】  本発明に係る配送伝票の別の例を示す平面図である。
【図５】  図４の配送伝票を構成する伝票用紙とタック紙をそれぞれ示す平面図である。
【図６】  図４の配送伝票を横方向の断面で示す概略構成図である。
【符号の説明】
Ａ，Ｂ  配送伝票
Ｆ  接着剤
１０  伝票用紙
１１  配達票
１１ａ  インデックス部分
１２  貼付票
１３  マージナルホール
１４  剥離剤
１５  ピッキングリスト
１６  商品明細書
２１  基材用紙
２２  粘着剤
２３  剥離紙
α，β  ミシン目
ａ，ｂ  カット
【図１】
0004497440.tif 000002
【図２】
0004497440.tif 000003
【図３】
0004497440.tif 000004
【図４】
0004497440.tif 000005
【図５】
0004497440.tif 000006
【図６】
0004497440.tif 000007